(57)【特許請求の範囲】
【請求項１】
積み重ねられた状態の熨斗紙を一枚ずつフィードし、フィードされた熨斗紙を被包装物に胴巻きする胴巻き機構と、前記胴巻き機構にフィードされた熨斗紙に印刷された光学コードを読み取る第１の光学コードリーダと、前記胴巻き機構に投入された被包装物の裏側に付加された光学コードを読み取る第２の光学コードリーダが接続され、前記第１の光学コードリーダにより熨斗紙の光学コードから読み取ったデータと、前記第２の光学コードリーダにより被包装物の光学コードから読み取ったデータを照合する照合部と、前記照合部が照合に失敗すると、前記胴巻き機構の動作を停止させる制御部を備えたことを特徴とする、熨斗紙胴巻き装置。
【発明の詳細な説明】
【技術分野】
【０００１】
本発明は、箱などの贈答品に熨斗紙を自動で胴巻きするための装置に関する。
【背景技術】
【０００２】
熨斗や水引が印刷された熨斗紙を胴巻きして贈答物を送る風習が日本に有り、数多くの贈答物に熨斗紙を胴巻きする作業を省力化できるように、例えば、特許文献１において、熨斗紙を自動で贈答物に包装する自動包装械が開示されている。
【０００３】
また、贈り主などが熨斗紙には手書きされていたが、数多くの熨斗紙に贈り主などを手書きする作業を省力化するために、例えば、特許文献２において、熨斗紙をオンデマンドで印刷できるシステムが開示され、慶事、弔事などの用途や贈り主の異なる熨斗紙を同一のロットで印刷することが可能になった。
【先行技術文献】
【特許文献】
【０００４】
【特許文献１】特開平６―０３２３２４号公報
【特許文献２】特許第４５６４１８１号
【発明の概要】
【発明が解決しようとする課題】
【０００５】
慶事、弔事などの用途や贈り主の異なる熨斗紙を同一のロットで印刷すると、用途や贈り主の異なる熨斗紙が積み重なった状態になり、上述した自動包装機を用いて贈答物に熨斗紙を胴巻きすると、用途や贈り主の異なる熨斗紙が積み重なった状態の熨斗紙の束から、一枚ずつ熨斗紙が該自動包装械にフィードされて贈答物に胴巻きされるため、該自動包装械からフィードされる熨斗紙と熨斗紙が巻かれる贈答物の組合せが正しいか照合が必要になっていた。
【０００６】
そこで、本発明は、贈答物などの被包装物に熨斗紙を自動で胴巻きできると共に、熨斗紙と被包装物の組合せが正しいか照合できる装置を提供することを目的とする。
【課題を解決するための手段】
【０００７】
上述した課題を解決する本発明は、積み重ねられた状態の熨斗紙を一枚ずつフィードし、フィードされた熨斗紙を被包装物に胴巻きする胴巻き機構と、前記胴巻き機構にフィードされた熨斗紙に印刷された光学コードを読み取る第１の光学コードリーダと、前記胴巻き機構に投入された被包装物の裏側に付加された光学コードを読み取る第２の光学コードリーダが接続され、前記第１の光学コードリーダにより熨斗紙の光学コードから読み取ったデータと、前記第２の光学コードリーダにより被包装物の光学コードから読み取ったデータを照合する照合部と、前記照合部が照合に失敗すると、前記胴巻き機構の動作を停止させる制御部を備えたことを特徴とする熨斗紙胴巻き装置である。
【発明の効果】
【０００８】
上述した本発明によれば、熨斗紙に印刷された光学コード（例えば、バーコード）と、贈答物に付加された光学コードを利用して照合し、照合に失敗すると、熨斗紙を被包装物に胴巻きする動作を停止することで、熨斗紙が胴巻きされた被包装物においては、熨斗紙と熨斗紙が巻かれる贈答物の組合せが正しいことになるため、慶事、弔事などの用途や贈り主が異なる熨斗紙であっても、自動で連続して胴巻きすることができるようになる。
【図面の簡単な説明】
【０００９】
【図１】本実施形態に係る熨斗紙胴巻き装置を説明する図。
【図２】本実施形態に係る熨斗紙及び贈答物を説明する図。
【図３】贈答物が積載部材に積載された状態の胴巻き機構を説明する図。
【図４】積載部材が降下した状態の胴巻き機構を説明する図。
【図５】熨斗紙の左側を折った状態の胴巻き機構を説明する図。
【図６】熨斗紙の右側を折った状態の胴巻き機構を説明する図。
【図７】胴巻き後の贈答物を排出した状態の胴巻き機構を説明する図。
【発明を実施するための形態】
【００１０】
ここから，本発明の実施形態について，本発明の技術分野に係わる当業者が，発明の内容を理解し，発明を実施できる程度に説明する。なお、これから説明する実施形態は本発明の一実施形態にしか過ぎず、本発明は，これから説明する実施形態に限定されることなく、種々の変形や変更が可能である。
【００１１】
図１は、本実施形態に係る熨斗紙胴巻き装置１を説明する図である。本実施形態に係る熨斗紙胴巻き装置１は、積み重ねられた状態の熨斗紙２を一枚ずつフィードし、被包装物（ここでは、贈答物３）にフィードされた熨斗紙２を胴巻きする胴巻き機構１２と、胴巻き機構１２にフィードされた熨斗紙２と胴巻き機構１２に投入された贈答物３を照合する照合部１１と、胴巻き機構１２にフィードされた熨斗紙２と胴巻き機構１２に投入された贈答物３を照合部１１に照合させ、照合部１１が照合に失敗すると、胴巻き機構１２を停止させる制御部１０を備えている。
【００１２】
図２は、本実施形態に係る熨斗紙２及び贈答物３を説明する図である。図２（ａ）は、本実施形態に係る熨斗紙２を説明する図で、図２（ａ）に図示したように、本実施形態に係る熨斗紙２の表面には、熨斗２ａや水引２ｂの図柄の加え、水引２ｂで区切られる上段には贈答の用途２ｃ（例えば、「御祝」）が印刷され、水引２ｂで区切られる下段には贈答物３の贈り主２ｄがデジタルプリンタによって印刷される。また、図２（ｂ）に図示したように、本実施形態に係る熨斗紙２の裏面には、熨斗紙２と贈答物３の照合に利用する光学コード２０（ここでは、１次元のバーコード）がデジタルプリンタによって印刷される。
【００１３】
更に、図２（ｂ）は、本実施形態に係る贈答物３を説明する図である。本実施形態において、贈答物３は箱状をなしており、図２（ｂ）に図示したように、贈答物３の裏側には、熨斗紙２と贈答物３の照合に利用する光学コード３０（ここでは、１次元のバーコード）が付加される。贈答物３の裏側に付加される光学コード３０は、贈答物３を製造する際に印刷してもよく、また、インクジェットプリンタやシールラベルを利用して、製造後の贈答物３に光学コード３０を付加することもできる。
【００１４】
デジタルプリンタを利用したオンデマンド印刷により熨斗紙２を印刷すると、ダイレクトメールのように一枚ずつ内容が異なる熨斗紙２が印刷されるため、本実施形態に係る熨斗紙胴巻き装置１には、熨斗紙２の裏面に印刷された光学コード２０と贈答物３の裏面に付加された光学コード３０を利用して、熨斗紙胴巻き装置１にフィードされた熨斗紙２と熨斗紙２が胴巻きされる贈答物３を照合する照合部１１が備えられる。
【００１５】
熨斗紙胴巻き装置1の照合部１１はコンピュータを利用して実現することができ、熨斗紙胴巻き装置1の照合部１１には、胴巻き機構１２にフィードされた熨斗紙２の裏面に印刷された光学コード２０を読み取る第１の光学コードリーダ１１０と、胴巻き機構12に投入された贈答物３の裏側に付加された光学コード３０を読み取る第２の光学コードリーダ１１１が接続され、更に、熨斗紙胴巻き装置1の照合部１１として利用するコンピュータには、第１の光学コードリーダ１１０により熨斗紙2の裏面から読み取った光学コード２０にエンコードされていたデータと、第２の光学コードリーダ１１１により贈答物３の裏側から読み取った光学コード３０にエンコードされていたデータを照合するコンピュータプログラムが実装される。
【００１６】
熨斗紙２の光学コード２０と贈答物３の光学コード３０にエンコードされているデータは同一でもよくまた異なるようにすることもできる。例えば、熨斗紙２の光学コード２０と贈答物３の光学コード３０に贈答物３の商品コードをエンコードしておき、熨斗紙胴巻き装置1の照合部１１が、第１の光学コードリーダ１１０により熨斗紙2の裏面から読み取った光学コード２０にエンコードされていた商品コードと、第２の光学コードリーダ１１１により贈答物３の裏側から読み取った光学コード３０にエンコードされていた商品コードを照合するようにしてもよい。
【００１７】
また、熨斗紙２の光学コード２０に熨斗紙２の識別コードをエンコードし、贈答物３の光学コード３０に贈答物3の商品コードをエンコードしておき、熨斗紙胴巻き装置1の照合部１１が、第１の光学コードリーダ１１０により熨斗紙２の裏面から読み取った光学コード２０にエンコードされていた識別コードに対応する商品コードと、第２の光学コードリーダ１１１により贈答物３の裏側から読み取った光学コード３０にエンコードされていた商品コードを照合するようにすることもできる。
【００１８】
次に、熨斗紙胴巻き装置１に備えられた胴巻き機構１２について説明する。図１に図示したように、熨斗紙胴巻き装置１の胴巻き機構１２は、積み重ねられた状態の熨斗紙２を一枚ずつフィードし、フィードした熨斗紙２を贈答物３に胴巻きするために熨斗紙胴巻き装置1に備えられ、熨斗紙２が積み重なった状態でスタックされる給紙スタッカ１２ａと、給紙スタッカ１２ａにスタックされた熨斗紙２を一枚ずつフィードするフィードローラ１２ｂと、贈答物３が積載される積載部材１２ｄと、贈答物３の位置を規制するガイド部材１２ｃと、積載部材１２ｄ及びガイド部材１２ｃの昇降を案内する役割を担う一対の支持部材１２ｅと、熨斗紙２の左側を折る折り込み部１２ｆと、熨斗紙２の右側を折ると共に、折られた状態の熨斗紙２の左側と右側をラベルで接着する機能を有するラベル貼り部１２ｇを有している。
【００１９】
ここから、熨斗紙胴巻き装置１の制御部１０が実行する動作を説明しながら、熨斗紙胴巻き装置１の胴巻き機構１２について詳細に説明する。図３は、贈答物３が積載部材１２ｄに積載された状態の胴巻き機構１２を説明する図、図４は、積載部材１２ｄが降下した状態の胴巻き機構１２を説明する図、図５は、熨斗紙２の左側を折った状態の胴巻き機構１２を説明する図、図６は、熨斗紙２の右側を折った状態の胴巻き機構１２を説明する図、そして、図７は、胴巻き後の贈答物３を排出した状態の胴巻き機構１２を説明する図である。
【００２０】
給紙スタッカ１２ａとフィードローラ１２ｂは、積み重ねられた状態の熨斗紙２を一枚ずつ胴巻き機構１２にフィードするために設けられ、裏面が表の状態で給紙スタッカ１２ａに熨斗紙２がスタックされ、制御部１０は、贈答物３に熨斗紙２を胴巻きする際、まず、フィードローラ１２ｂを作動させて、裏面が表の状態の一枚の熨斗紙２を積載部材１２ｄとガイド部材１２ｃの隙間にフィードする。そして、一枚の熨斗紙２をフィードすると、制御部１０は、ガイド部材１２ｃの間に贈答物３を投入し、図３に図示したように、ガイド部材１２ｃの間に挟まれ、熨斗紙２の上に載った状態で贈答物３が積載部材１２ｄ上に積載される。
【００２１】
贈答物３が胴巻き機構１２内に投入されると、制御部１０は照合部１１に対して、熨斗紙２と贈答物３を照合する指示を通知し、照合部１１は、第１の光学コードリーダ１１０及び第２の光学コードリーダ１１１を作動させて、熨斗紙２の光学コード２０及び贈答物３の光学コード３０にそれぞれエンコードされていたデータを読み取り、読み取ったデータを照合する動作を行う。
【００２２】
胴巻き機構１２のガイド部材１２ｃと積載部材１２ｄはそれぞれ独立して昇降する機能を有し、制御部１０は、熨斗紙２及び贈答物３の光学コードから読み取ったデータの照合に成功したことが照合部１１から通知されると、ガイド部材１２ｃと積載部材１２ｄを同時に降下させる。なお、熨斗紙２の光学コード２０及び贈答物３の光学コード３０から読み取ったデータの照合に失敗したことが照合部１１から通知されると、ガイド部材１２ｃと積載部材１２ｄを同時に降下させることなく、警報を発するなどの動作を行う。
【００２３】
熨斗紙２は、ガイド部材１２ｃと積載部材１２ｄの間に挟まれた状態になっているため、ガイド部材１２ｃと積載部材１２ｄが同時に降下することで、図４に図示したように、熨斗紙２の両側は、支持部材１２ｅとガイド部材１２ｃの隙間に沿ってコの字状の状態になる。
【００２４】
そして、図５に図示したように、ガイド部材１２ｃと積載部材１２ｄを所定位置まで降下させると、制御部１０はガイド部材１２ｃのみを所定位置まで上昇させ、ガイド部材１２ｃを所定位置まで上昇させると、制御部１０は、熨斗紙２を贈答物３に胴巻きする動作として、まず、折り込み部１２ｆを作動させて、熨斗紙２の左側を贈答物３に巻くように折り込む。
【００２５】
熨斗紙２の左側を贈答物３に巻くように折り込むと、熨斗紙２を贈答物３に胴巻きする動作として、制御部１０は、図６に図示したように、ラベル貼り部１２ｇを作動させて、熨斗紙２の右側を贈答物３に巻くように折り込むと共に、熨斗紙２の左側と右側を留めるためのラベルを貼付け、熨斗紙２を贈答物３に胴巻きする。
【００２６】
熨斗紙２を贈答物３に胴巻きすると、制御部１０は、胴巻き後の贈答物３を排出する動作として、図７に図示したように、積載部材１２ｄを所定位置まで降下させ、折り込み部１２ｆ及びラベル貼り部１２ｇを所定位置に戻した後、積載部材１２ｄを左右に分割するようにスライドさせて、胴巻き後の贈答物３を落下させる。
【符号の説明】
【００２７】
１    熨斗紙胴巻き装置
１０  制御部
１１  照合部
１１０  第１の光学コードリーダ
１１１  第２の光学コードリーダ
１２  胴巻き装置
１２ａ  給紙スタッカ
１２ｂ  フィードローラ
１２ｃ  ガイド部材
１２ｄ  積載部材
１２ｅ  支持部材
１２ｆ  折り込み部
１２ｇ  ラベル貼り部
【図１】
0005786437.tif 000002
【図２】
0005786437.tif 000003
【図３】
0005786437.tif 000004
【図４】
0005786437.tif 000005
【図５】
0005786437.tif 000006
【図６】
0005786437.tif 000007
【図７】
0005786437.tif 000008